(57)【要約】      （修正有）【課題】着脱可能な直立式支持部材を有し、様々な方向でのスキャンに応用することができる多機能Ｘ線ベッドを提供する。【解決手段】ベッド本体１００と、直立柱２００と、Ｘ線管３００と、横置き支持部材４００と、縦置き支持部材５００とを備える。ベッド本体は、水平に配設されるベッド板１２０を有し、ベッド本体には支持部材スロット１３０が配設される。直立柱はベッド本体上に立設されベッド板の一方側に位置する。Ｘ線管は直立柱に配設されベッド板の上方に懸設される。横置き支持部材はベッド本体に架設されベッド板の下方に位置する。縦置き支持部材は支持部材スロットに着脱可能に挿接されてベッド板の他方側に立設される。【選択図】図２
0003217392.tif 000002
【実用新案登録請求の範囲】
【請求項１】
多機能Ｘ線ベッドであって、
水平に配設されるベッド板を有し、支持部材スロットが配設されるベッド本体と、
前記ベッド本体上に立設され且つ前記ベッド板の一方側に位置する直立柱と、
前記直立柱に配設され且つ前記ベッド板の上方に懸設されるＸ線管と、  
前記ベッド本体に配設され且つ前記ベッド板の下方に位置する横置き支持部材と、
前記支持部材スロットに着脱可能に挿接されて前記ベッド板の他方側に立設される縦置き支持部材と、を備える、ことを特徴とする多機能Ｘ線ベッド。
【請求項２】
前記ベッド本体は折り畳み式延長板を備えており、前記折り畳み式延長板の一方の縁は前記ベッド板の一方の縁に枢接され且つ揺動可能となって選択的に水平配置又は／及び下垂配置される、請求項１に記載の多機能Ｘ線ベッド。
【請求項３】
前記支持部材スロットは前記折り畳み式延長板の一つの表面に配設される、請求項２に記載の多機能Ｘ線ベッド。
【請求項４】
前記ベッド本体は前記ベッド板が上に設けられるベッドフレームを備えており、前記ベッドフレームと前記折り畳み式延長板との間には位置決めリンクアセンブリが接続される、請求項２に記載の多機能Ｘ線ベッド。
【請求項５】
前記位置決めリンクアセンブリは、前記ベッド板と前記折り畳み式延長板との間に支持される支持リンクを備えており、前記支持リンクの一端は前記ベッドフレーム及び前記折り畳み式延長板のうちの一方に枢接されており、前記支持リンクの他端にはスライド軸が設けられており、前記ベッドフレーム及び前記折り畳み式延長板のうちの他方の一つの上にはスライド溝が設けられており、前記スライド軸は前記スライド溝内に挿設され且つ前記スライド溝に沿ってスライド可能である、請求項４に記載の多機能Ｘ線ベッド。
【請求項６】
前記スライド溝の一方側には枢転可能なリリースレバーが配設されており、前記リリースレバーの一端には凹部が開設されており、前記折り畳み式延長板が水平配置されるとき、前記スライド軸が前記凹部中に係止されて前記折り畳み式延長板を固定する、請求項５に記載の多機能Ｘ線ベッド。
【請求項７】
前記直立柱は下段部と上段部とを有しており、前記下段部は前記ベッド本体に接続され且つ立設されており、前記上段部は立設され且つ前記上段部の下端と前記下段部の上端との間は、複数本の較正スクリューロッドにより螺接されており、各前記較正スクリューロッドは前記直立柱の縦方向に平行して配設される、請求項１に記載の多機能Ｘ線ベッド。
【請求項８】
前記ベッド本体には水平配置される水平スライドレール組が配設されており、前記直立柱は前記水平スライドレール組に配設され且つ前記水平スライドレール組に沿って水平移動可能である、請求項１に記載の多機能Ｘ線ベッド。
【請求項９】
前記横置き支持部材は、それぞれ水平で相対的に平行移動可能である一対の位置決めスライダを備える、請求項１に記載の多機能Ｘ線ベッド。
【請求項１０】
前記横置き支持部材には、前記一対の位置決めスライダにより挟持される検出板が載置される、請求項９に記載の多機能Ｘ線ベッド。
【請求項１１】
前記横置き支持部材には、前記一対の位置決めスライダの上に架設される検出板が載置される、請求項９に記載の多機能Ｘ線ベッド。
【請求項１２】
前記ベッド本体は前記直立柱の一方側から側方に延出する支持脚が配設されており、且つ前記支持脚は前記直立柱を超えて延出する、請求項１に記載の多機能Ｘ線ベッド。
【請求項１３】
前記直立柱には前記直立柱の縦方向に延出配置される垂直スライドレール組が配設されており、前記Ｘ線管は前記垂直スライドレール組に接続され且つ前記垂直スライドレール組に沿って昇降平行移動可能である、請求項１に記載の多機能Ｘ線ベッド。
【考案の詳細な説明】
【技術分野】
【０００１】
本考案は多機能Ｘ線ベッドに関し、とりわけ多方向でスキャン可能な多機能Ｘ線ベッドに関する。
【背景技術】
【０００２】
従来のＸ線ベッドは一般的にベッド本体と、ベッド本体の一方側に設けられる直立柱とを備えており、直立柱上にはＸ線管が懸設されることで、ベッド本体上の生物に対してＸ線を投射してＸ線写真を撮影することができる。従来のＸ線ベッドの構造は、その他撮影方式（例えば直立）に適用することができないうえ、単一のサイズのＸ線フィルムにしか適用できない。
【０００３】
これに鑑み、本考案者は上記従来技術に対して、特に潜心的に研究するとともに学理の運用を配合して、上記した問題点を極力解決するということが、本考案者が改良する目標となっている。
【考案の概要】
【考案が解決しようとする課題】
【０００４】
本考案は多方向でスキャン可能な多機能Ｘ線ベッドを提供する。
【課題を解決するための手段】
【０００５】
本考案は、ベッド本体と、直立柱と、Ｘ線管と、横置き支持部材と、縦置き支持部材とを備える多機能Ｘ線ベッドを提供する。ベッド本体は、水平に配設されるベッド板を有し、ベッド本体には支持部材スロットが配設される。直立柱はベッド本体上に立設され且つベッド板の一方側に位置する。Ｘ線管は直立柱に配設され且つベッド板の上方に懸設される。横置き支持部材はベッド本体に架設され且つベッド板の下方に位置する。縦置き支持部材は支持部材スロットに着脱可能に挿接されてベッド板の他方側に立設される。
【０００６】
本考案の多機能Ｘ線ベッドは、そのベッド本体は折り畳み式延長板を備えており、折り畳み式延長板の一方の縁はベッド板の一方の縁に枢接され且つ揺動可能となって選択的に水平配置又は／及び下垂配置される。支持部材スロットは折り畳み式延長板の一つの表面に配設される。ベッド本体はベッド板が上に設けられるベッドフレームを備えており、ベッドフレームと折り畳み式延長板との間には位置決めリンクアセンブリが接続される。位置決めリンクアセンブリは、ベッド板と折り畳み式延長板との間に支持される支持リンクを備えており、支持リンクの一端はベッドフレーム及び折り畳み式延長板のうちの一方に枢接されており、支持リンクの他端にはスライド軸が設けられており、ベッドフレーム及び折り畳み式延長板のうちの他方の一つの上にはスライド溝が設けられており、スライド軸はスライド溝内に挿設され且つスライド溝に沿ってスライド可能である。スライド溝の一方側には枢転可能なリリースレバーが配設されており、リリースレバーの一端には凹部が開設されており、折り畳み式延長板が水平配置されるとき、スライド軸が凹部中に係止されて折り畳み式延長板を固定する。
【０００７】
本発明の多機能Ｘ線ベッドは、その直立柱は下段部と上段部とを有しており、下段部はベッド本体に接続され且つ立設されており、上段部は立設され且つ上段部の下端と下段部の上端との間は、複数本の較正スクリューロッドにより螺接されており、各較正スクリューロッドは直立柱の縦方向に平行して配設される。
【０００８】
本発明の多機能Ｘ線ベッドは、そのベッド本体には水平配置される水平スライドレール組が配設されており、直立柱は水平スライドレール組に配設され且つ水平スライドレール組に沿って水平移動可能である。
【０００９】
本発明の多機能Ｘ線ベッドは、その横置き支持部材は、それぞれ水平で相対的に平行移動可能である一対の位置決めスライダを備える。横置き支持部材には、一対の位置決めスライダにより挟持される検出板が載置される。横置き支持部材には、一対の位置決めスライダの上に架設される検出板が載置される。
【００１０】
本発明の多機能Ｘ線ベッドは、そのベッド本体は直立柱の一方側から側方に延出する支持脚が配設されており、且つ支持脚は直立柱を超えて延出する。
【００１１】
本発明の多機能Ｘ線ベッドは、その直立柱には直立柱の縦方向に延出配置される垂直スライドレール組が配設されており、Ｘ線管は垂直スライドレール組に接続され且つ垂直スライドレール組に沿って昇降平行移動可能である。
【００１２】
本考案の多機能Ｘ線ベッドは着脱可能な直立式支持部材を有するため、様々な方向でのスキャンに応用することができる。
【図面の簡単な説明】
【００１３】
【図１】本考案の好ましい実施例の多機能Ｘ線ベッドの立体概略図である。
【図２】本考案の好ましい実施例の多機能Ｘ線ベッドの立体概略図である。
【図３】本考案の好ましい実施例の多機能Ｘ線ベッドの立体概略図である。
【図４】本考案の好ましい実施例の多機能Ｘ線ベッドの他の変化の概略図である。
【図５】本考案の好ましい実施例の多機能Ｘ線ベッドにおける折り畳み式延長板の使用状態の概略図である。
【図６】本考案の好ましい実施例の多機能Ｘ線ベッドにおける折り畳み式延長板の使用状態の概略図である。
【図７】本考案の好ましい実施例の多機能Ｘ線ベッドにおける折り畳み式延長板の使用状態の概略図である。
【図８】本考案の好ましい実施例の多機能Ｘ線ベッドにおける横置き支持部材の使用状態概略図である。
【図９】本考案の好ましい実施例の多機能Ｘ線ベッドにおける横置き支持部材の使用状態概略図である。
【考案を実施するための形態】
【００１４】
図１ないし図３を参照する。本考案の好ましい実施例では、ベッド本体１００と、直立柱２００と、Ｘ線管３００と、横置き支持部材４００と、縦置き支持部材５００と、コントローラ６００とを備える多機能Ｘ線ベッドを提供する。
【００１５】
ベッド本体１００は水平に配設されるベッド板１２０を備えるとともに、ベッド本体１００には縦置き支持部材５００を挿接するための支持部材スロット１３０が配設される。本実施例において、ベッド本体１００はベッド板１２０が上に設けられるベッドフレーム１１０を備えるのが好ましく、ベッド本体１００は折り畳み式延長板１４０を備えており、折り畳み式延長板１４０の一方の縁はベッド板１２０の一方の縁に枢接され且つ揺動可能となって選択的に水平配置又は／及び下垂配置されることで、ベッド板１２０の範囲を延長する。ベッドフレーム１１０と折り畳み式延長板１４０との間には位置決めリンクアセンブリ１５０が接続されており、位置決めリンクアセンブリにより折り畳み式延長板１４０を水平配置となるように固定することができる。支持部材スロット１３０はベッドフレーム１１０上又はベッド板１２０の一つの表面（好ましくは下面）に配設することができ、支持部材スロット１３０は折り畳み式延長板１４０の一つの表面（好ましくは下面）に配設してもよい。
【００１６】
図５ないし図７を参照する。位置決めリンクアセンブリ１５１は、ベッド板１２０と折り畳み式延長板１４０との間に支持される支持リンク１５０を備えており、支持リンク１５１の一端はベッドフレーム１１０及び折り畳み式延長板１４０のうちの一方に枢接されているが、本実施例においては支持リンク１５１はベッドフレーム１１０に枢接されるのが好ましい。支持リンク１５１の他端にはスライド軸１５２が設けられており、ベッドフレーム１１０及び折り畳み式延長板１４０のうちの他方の一つの上にはスライド溝１５３が設けられており、スライド軸１５２はスライド溝１５３内に挿設され且つスライド溝１５３に沿ってスライド可能であるが、本実施例において、スライド溝１５３は折り畳み式延長板１４０の下面に配設されるのが好ましい。スライド溝１５３の一方側には枢転可能なリリースレバー１５４が配設されており、リリースレバー１５４の一端には凹部１５５が開設されており、折り畳み式延長板１４０が水平配置されるとき、スライド軸１５２が凹部１５５中に係止されて折り畳み式延長板１４０を固定する。ベッド本体１００の一方側の面には水平配置される水平スライドレール組１６０が配設されており、且つ支持脚１７０がこの側面から側方に延出する。
【００１７】
図１ないし図３を参照する。直立柱２００はベッドフレーム１１０上に立設され且つベッド板１２０の一方側に位置しているが、本実施例において、直立柱２００は水平スライドレール組１６０に配設され且つ水平スライドレール組１６０に沿って水平移動可能である。直立柱２００は下段部２１０と上段部２２０とを有しており、下段部２１０はベッド本体１００に接続され且つ立設されているが、本実施例において、下段部２１０は水平スライドレール組１６０に接続される。上段部２２０は立設され且つ上段部２２０の下端と下段部２１０の上端との間は、複数本の較正スクリューロッド２３０により螺接されており、各較正スクリューロッド２３０は直立柱２００の縦方向に平行して配設される。上段部２２０側面には、直立柱２００の縦方向に延伸して配置される垂直スライドレール組２４０が配設される。
【００１８】
図１ないし図３を参照する。Ｘ線管３００は直立柱２００に配設され且つベッド板１２０の上方に懸設されており、Ｘ線管３００は直立柱２００の上段部２２０側面の垂直スライドレール組２４０に接続され且つ垂直スライドレール組２４０に沿って昇降移動可能とするのが好ましい。しかもＸ線管３００は回転するとともにその上のコリメータと協働して、そのＸ線投射方向を水平方向又は垂直下向きに位置合わせ可能とするのが好ましい。各較正スクリューロッド２３０と下段部２１０又は上段部２２０との螺接深さを調整することで、各較正スクリューロッド２３０が下段部２１０と上段部２２０との間に螺入される隙間を変更するので、上段部２２０の傾斜角を調整してＸ線管３００への水平又は垂直に対する較正が可能となる。前記した支持脚１７０は直立柱２００を超えて延出するので、逆向きモーメンを提供することでＸ線管３００の重量がベッド本体１００にかかるモーメントとのバランスを取ることが可能となるため、ベッド本体１００が横向きに傾くのを防止することができる。
【００１９】
図１ないし図３及び図８ないし図９を参照する。横置き支持部材４００はベッドフレーム１１０に配設され且つベッド板１２０の下方に位置する。横置き支持部材４００は少なくとも一対の位置決めスライダ４１０を少なくとも有しており、この一対の位置決めスライダ４１０はそれぞれ水平で相対的に平行移動することで水平に配置された検出板４２０を固定するが、本実施例において、横置き支持部材４００上には二対の位置決めスライダ４１０が配設されて、且つ二対の位置決めスライダ４１０はそれぞれ異なる方向に相対的に平行移動可能となっているのが好ましい。サイズの異なる検出板４２０は、異なる固定手段により横置き支持部材４００に配設することができる。図８に示す大型の検出板４２０は、この一対の位置決めスライダ４１０の上に架設することができ、しかも横置き支持部材４００上の設けられるクランプ４３０により挟持されるとともに位置決めスライダ４１０に押圧されて固定される。図９に示す小型の検出板４２０は、これら位置決めスライダ４１０の間に配設されており、検出板４２０の二対の対向辺はそれぞれ各一対の位置決めスライダ４１０により挟持し固定される。
【００２０】
図１及び図４を参照する。縦置き支持部材５００は支持部材スロット１３０に着脱可能に挿接されてベッド板１２０の他方側に立設される。支持部材スロット１３０の設置位置に基づいて、縦置き支持部材５００はベッド板１２０又は折り畳み式延長板１４０に挿接することができる。縦置き支持部材５００は立設される検出板を配設するのに供される。
【００２１】
コントローラ６００はベッド本体１００の一方側に配設されて、ベッド本体１００上に固接することができ、しかもコントローラ６００はＸ線管３００に接続されることでＸ線管３００を操作するのが好ましい。更には、水平スライドレール組１６０及び垂直スライドレール組２４０もまたそれぞれギヤが配置されて、そしてコントローラ６００のモータに電気的に接続されることで、コントローラ６００を通じてＸ線管３００の水平及び垂直位置を移動可能としている。コントローラ６００はベッド本体１００とは別体で配置することもできるが、Ｘ線管３００に信号的に接続されるのが好ましい。
【００２２】
本考案の多機能Ｘ線ベッドは着脱可能な縦置き支持部材５００を有するため、様々な方向でのスキャンに応用することができ、且つ水平スライドレール組１６０と垂直スライドレール組２４０とを組合わせて、Ｘ線管３００を所望のスキャン位置にまで移動させやすくしている。折り畳み式延長板１４０はスキャン物を載置する領域用に延長可能となる。多段式の直立柱２００は水平及び垂直を較正可能となる。横置き支持部材４００上には位置決めスライダ４１０が配設されて複数のサイズの検出板に適用可能となる。  
【００２３】
上記したものは本考案の好ましい実施例に過ぎず、本考案の実用新案登録請求の範囲を限定するためのものではなく、本考案の技術思想を運用したその他等価の変化は、いずれも本考案の権利範囲に含まれる。
【符号の説明】
【００２４】
１００              ベッド本体            
１１０              ベッドフレーム
１２０              ベッド板
１３０              支持部材スロット
１４０              折り畳み式延長板
１５０              位置決めリンクアセンブリ
１５１              支持リンク
１５２              スライド軸
１５３              スライド溝
１５４              リリースレバー
１５５              凹部
１６０              水平スライドレール組
１７０              支持脚
２００              直立柱
２１０              下段部
２２０              上段部
２３０              較正スクリューロッド
２４０              垂直スライドレール組
３００              Ｘ線管
４００              横置き支持部材
４１０              位置決めスライダ
４２０              検出板
４３０              クランプ
５００              縦置き支持部材
６００              コントローラ
【図１】
0003217392.tif 000003
【図２】
0003217392.tif 000004
【図３】
0003217392.tif 000005
【図４】
0003217392.tif 000006
【図５】
0003217392.tif 000007
【図６】
0003217392.tif 000008
【図７】
0003217392.tif 000009
【図８】
0003217392.tif 000010
【図９】
0003217392.tif 000011